(57)【要約】【課題】  扉体を本体部から離反させても遊技球の通路が分断されない遊技機の提供を課題とする。【解決手段】  本発明において、本体枠１２に対して回動可能に連結される第一の通路部材６２と、ガラス枠１３に対して回動可能に連結される第二の通路部材６３とが互いに枢動可能な連結通路６０を設けることにより、ガラス枠１３を本体枠１２に対して回動させても連結通路６０が追従することができる。従って、ガラス枠１３の本体枠１２に対する回動量にかかわることなく、払い出し装置１９にて払い出した遊技球を上皿１４または下皿１５に供給することができる。すなわち、遊技領域２５のメンテナンス等を行う場合であっても、払い出し装置１９における遊技球の払い出しを継続して行うことができる。【選択図】  図１１
2006181046.tif 000002
【特許請求の範囲】
【請求項１】
本体部と、同本体部に対して略密着／離反可能に取り付けられる扉体と、これらの間において遊技球を流通させる連結通路とを備える遊技機において、
上記連結通路は、
内部にて遊技球を流通させ、上記本体部に対して回動可能に連結される第一の通路部材と、
内部にて遊技球を流通させ、上記扉体に対して回動可能に連結される第二の通路部材と、
上記第一の通路部材と上記第二の通路部材とを相互に枢動可能に連結するとともに、同第一および第二の通路部材との間にて遊技球の受け渡しを行う連結部とを具備することを特徴とする遊技機。
【発明の詳細な説明】
【技術分野】
【０００１】
本発明は、上部に外部装置から遊技球が供給される供給部を備える遊技機に関する。
【背景技術】
【０００２】
従来、この種の遊技機として、遊技機の前面側を覆う前面化粧体に通路を形成し、同通路を前面側から視認可能としたものが知られている（例えば、特許文献１、参照。）。
かかる構成によれば、遊技者側から通路を流下する遊技球の様子を視認することができ、遊技者があらかじめ遊技球の払い出し状況を知ることができた。
【特許文献１】特開２００２−３０６７７５号公報
【発明の開示】
【発明が解決しようとする課題】
【０００３】
上述した従来の遊技機において、前面化粧体の裏側に形成される遊技領域等のメンテナンスを行う際に、遊技領域等を開放するために前面化粧体が遊技機の本体部から離脱させることが行われていた。しかし、前面化粧体を遊技機の本体部から離脱させると、同本体部に形成された通路と、同前面化粧体に形成された通路とが分断され、遊技球が同分断された通路から放出されるという課題があった。
本発明は、上記課題にかんがみてなされたもので、扉体を本体部から離反させても遊技球の通路が分断されない遊技機の提供を目的とする。
【課題を解決するための手段】
【０００４】
上記目的を達成するため、請求項１にかかる発明では、本体部と、同本体部に対して略密着／離反可能に取り付けられる扉体と、これらの間において遊技球を流通させる連結通路とを備える遊技機において、
上記連結通路は、内部にて遊技球を流通させ、上記本体部に対して回動可能に連結される第一の通路部材と、内部にて遊技球を流通させ、上記扉体に対して回動可能に連結される第二の通路部材と、上記第一の通路部材と上記第二の通路部材とを相互に枢動可能に連結するとともに、同第一および第二の通路部材との間にて遊技球の受け渡しを行う連結部とを具備する構成としてある。
【０００５】
遊技機の本体部に対して扉体が略密着／離反可能に取り付けられる。連結通路は上記本体部と上記扉体との間において遊技球を流通させる。すなわち、上記連結通路によって上記本体部から上記扉体へ、または、上記扉体から上記本体部へ遊技球を案内することができる。上記連結通路は第一および第二の通路部材と連結部とから構成される。上記第一の通路部材は、上記本体部に対して回動可能に連結されるとともに、内部にて遊技球を流通させることができる。一方、上記第二の通路部材は、上記扉体に対して回動可能に連結される。そして、上記連結通路は第一および第二の通路部材は上記連結部によって互いに回動可能に連結される。上記連結部においては上記第一および第二の通路部材との間で遊技球の受け渡しを行うことができる。このようにすることにより、上記扉体と上記本体部とが離反した場合でも、上記第一および第二の通路部材とが互いに一直線になるように枢動して、同扉体と同本体部とが離反することを許容することができる。すなわち、上記扉体と上記本体部とが離反した場合でも、上記連結通路にて遊技球を流通させることができる。
本発明は、上記の構成に限られるものではなく、以下の手段も含むものである。
【０００６】
手段１
手段１にかかる発明は、請求項１に記載した発明において、上記扉体が上記本体部に対して略密着したとき、上記第一の通路部材と上記第二の通路部材とは上下に重なる構成としてある。
すなわち、上記第一の通路部材と上記第二の通路部材とが上下に重なるようにして上記連結通路を折り畳んでおくことができる。従って、上記扉体が上記本体部に対して略密着するとき、上記連結通路を水平方向にコンパクトにすることができる。
【０００７】
手段２
手段２にかかる発明は、手段１に記載した発明において、上記扉体が上記本体部に対して略密着したとき、上方の上記第一の通路部材または上記第二の通路部材から下方の同第一の通路部材または同第二の通路部材に遊技球を落下させる短絡穴が形成される
すなわち、上記第一の通路部材と上記第二の通路部材とが上下に重なるとき、上方の上記第一の通路部材または上記第二の通路部材から下方の同第一の通路部材または同第二の通路部材に遊技球を落下させることができる。すなわち、上記連結部を経由しなくても、短絡穴にて上記第一の通路部材と上記第二の通路部材との間の遊技球の受け渡しを行うことができる。従って、上記扉体が上記本体部に対して略密着したとき、短い経路で遊技球を流通させることができる。
【０００８】
手段３
手段３にかかる発明は、手段２に記載した発明において、上記扉体が上記本体部に対して離反したとき、上記短絡穴を塞ぐシャッターが備えられる構成としてある。
すなわち、上記扉体が上記本体部に対して離反したときに、上記短絡穴を塞ぐことができるため、同短絡穴から遊技球がこぼれ落ちることが防止できる。
【０００９】
手段４
手段４にかかる発明は、手段３に記載した発明において、上記扉体が上記本体部に対して密着したとき、上記短絡穴に遊技球を誘導する誘導壁面が上記シャッターに備えられる構成としてある。
すなわち、上記短絡穴に遊技球を誘導する誘導壁面を上記シャッターに設けることにより、上記扉体が上記本体部に対して密着したときに遊技球を上記短絡穴に確実に誘導することができる。
【００１０】
手段５
手段５にかかる発明は、請求項１、または、手段１から手段４のいずれかに記載した発明において、上記連結通路は上記本体部に形成される略円形状の遊技領域の中央よりも高い位置に形成される。
すなわち、上記連結通路を略円形状の遊技領域の中央よりも高い位置に形成することにより、上記前面通路を長い経路とすることができる。従って、上記前面通路を前面側に形成することにより確保される他の部分のスペースを広くすることができる。また、上記遊技領域は遊技者に注視されるため、上記前面通路を目立たせることができる。さらに、上記遊技領域は略円形状に形成されるため、その中央よりも高い位置においては幅が狭くなる。従って、上記遊技領域を小さくすることなく同遊技領域の外部に上記連結通路を設置するためのスペースを確保することができる。
【００１１】
手段６
手段６にかかる発明は、請求項１、または、手段１から手段５のいずれかに記載した発明において、上記扉体は上記本体部に備えられた払い出し装置にて払い出された遊技球が案内させる前面通路が備えられた前面枠であり、上記連結通路は上記払い出し装置と上記前面通路の間の通路を構成する構成としてある。
すなわち、払い出し装置が上記本体部に備えられ、この払い出し装置にて払い出された遊技球が前面通路に案内させられる。上記前面通路は上記扉体としての前面枠に備えられ、上記連結通路が上記払い出し装置と同連結通路との間の通路を構成する。すなわち、上記前面枠が上記払い出し装置が備えられた上記本体枠から離反すると、同払い出し装置から上記前面通路が離反することとなるが、上記第一および第二の通路部材とが互いに枢動することにより、上記連結通路にて遊技球を流通させることができる。
【００１２】
手段７
手段７にかかる発明は、手段６に記載した発明において、上記本体部は、上記前面枠が前面側から密着し上記遊技領域が形成された本体枠と、上記本体枠に背面側から密着し上記払い出し装置が備えられた機構板とを具備するとともに、上記本体枠には上記連結通路を貫通させる貫通穴が形成される構成としてある。
すなわち、上記遊技領域が形成された上記本体枠に対して、上記前面枠が前面側から密着するとともに、上記機構板が背面側から密着する。従って、上記前面通路が備えられる上記前面枠と上記払い出し装置が備えられる上記機構板との間に上記本体枠が位置することとなる。しかしながら、上記本体枠に上記連結通路が貫通可能な貫通穴を形成することにより、上記本体枠に妨げられることなく上記払い出し装置と上記前面通路とを連結することができる。
【００１３】
手段８
手段８にかかる発明は、請求項１、または、手段１から手段４のいずれかに記載した発明において、上記遊技機は上記遊技領域にてドラムが回転させられるパチロットある構成としてある。
すなわち、本発明をパチロットにも適用することができる。なお、パチロットは、メダルの代わりに一定数のパチンコ球を使用して絵合わせを行うものでありパチンコ機とスロットマシンの両方の特徴を備えた遊技機である。このようなパチロットも、遊技球の払い出しが行われるため、本発明を適用することができる。
【発明の効果】
【００１４】
以上説明したように、請求項１にかかる発明によれば、扉体を本体部から離反させても遊技球の通路が分断されない遊技機を提供することができる。
手段１にかかる発明によれば、連結通路をコンパクトに形成することができる。
手段２にかかる発明によれば、連結通路を遊技球が素早く通過することができる。
手段３にかかる発明によれば、球こぼれを防止することができる。
手段４にかかる発明によれば、遊技球が迂回することが防止できる。
手段５にかかる発明によれば、前面通路によって確保されるスペースを広くすることができる。
手段６にかかる発明によれば、前面枠が本体部から離反しても、払い出し装置による払い出しを継続することができる。
手段７にかかる発明によれば、本体枠の状態に関わることなく払い出し装置から前面通路に遊技球を払い出すことができる。
手段８にかかる発明によれば、扉体を本体部から離反させても遊技球の通路が分断されないパチロットを提供することができる。
【発明を実施するための最良の形態】
【００１５】
ここでは、下記の順序に従って本発明の実施形態について説明する。
（１）第一の実施形態：
（２）第二の実施形態：
（３）第三の実施形態：
（４）第四の実施形態：
（５）第五の実施形態：
（６）まとめ：
【００１６】
（１）第一の実施形態：
図１は、本発明の第一の実施形態にかかるパチンコ遊技機を斜めから見て示している。同図において、パチンコ遊技機１０は木材で矩形枠状に形成された外枠１１を有しており、同外枠１１をホール等に固定することにより正立した状態で設置される。外枠１１の内側には合成樹脂等で形成された矩形枠状の本体枠１２が嵌め込まれている。本体枠１２の前面側には、同本体枠１２と回動可能な扉体および前面枠としてのガラス枠１３が枢支されている。ガラス枠１３は中央部に窓穴１３ｄを有しており、同開口からガラス１３ａが露出するように保持されている。
【００１７】
ガラス１３ａは透視可能であり、ガラス１３ａの内側を視認することが可能となっている。本体枠１２は矩形開口を有しており、同矩形開口にて矩形板状の遊技盤２４が保持されている。そして、前面側からガラス１３ａを透視することにより、その内側に保持された遊技盤２４の様子を視認することが可能となっている。遊技盤２４の前面には略円環状の遊技レールが立設されており、同遊技レールおよびガラス枠１３に囲まれた遊技領域２５にて遊技球を流通させて遊技を行う。
【００１８】
ガラス枠１３における窓穴１３ｄを囲む部分を前方に隆起させることにより略円環畝状の装飾部１３ｅを設けている。装飾部１３ｅは彩色により模様が形成されるとともに、内部に照明部材が埋設される。このようにすることにより、装飾部１３ｅによって遊技領域２５を装飾することができる。ガラス枠１３の下方には上皿１４が前面側に向かって突設されており、さらにその下方には下皿１５が前面側に向かって突設されている。上皿１４および下皿１５は所定の深みを有する皿状に形成されているため、遊技球を貯留しておくことができる。なお、本体枠１２と外枠１１と遊技盤２４とが本発明にいう本体部を構成する。
【００１９】
下皿１５の側方には半球状の発射ハンドル１６が回動可能に突設されており、同発射ハンドル１６の回動量に応じて遊技球の発射を行うことが可能となっている。発射ハンドル１６が備えられた部位の内部には発射機構１６ａが備えられている。発射機構１６ａは、遊技領域２５まで遊技球を案内するレールと、発射ハンドル１６の回動量に応じて動作する発射槌を有している。また、上皿１４と発射機構１６ａとは図示しない通路により連通しており、上皿１４に貯留された遊技球を発射槌に供給することが可能となっている。そして、供給された遊技球を発射槌が弾くことにより、遊技球が付勢され、遊技領域に発射される。
【００２０】
パチンコ遊技機１０の前面側には長い略円筒状の前面通路３０が備えられており、同前面通路３０を経由して上皿１４および下皿１５に遊技球が供給される。前面通路３０の上方部分は、略前後方向に配向する延設部３１によって構成されており、同延設部３１がガラス枠１３から略前方に延設されている。延設部３１は前方が低くなるように傾斜させられており、同延設部３１の前方端部から鉛直下方に向かって直線状の落下部３２が延設されている。
【００２１】
図２は、パチンコ遊技機１０を背面側から見て示している。同図において、パチンコ遊技機１０の背面側には略板状の機構板１７が枢支されており、本体枠１２に保持されている遊技盤２４は同機構板１７によって背面側から覆われている。機構板１７には保護カバー２２が取り付けられており、同保護カバー２２に背面側から覆われるように液晶ユニット２１や制御ボックス２３が配設されている。液晶ユニット２１は遊技領域の中央部に表示面を露出させる液晶パネルを駆動するための装置であり、遊技盤２４を貫通するように取り付けられている。制御ボックス２３はパチンコ遊技機１０の主要な動作を制御する制御基板を収容する基板ボックスであり、内部の制御基板を強固に封止している。
【００２２】
パチンコ遊技機１０の背面側の上部には遊技球が貯留可能なタンク１８が備えられている、タンク１８は幅方向に長い皿状に形成されており、上方に開口している。タンク１８は本発明にいう供給部に相当し、同タンク１８はホール等に設置される遊技球供給装置から遊技球の供給を受ける。タンク１８を遊技機における上方部分に備えておくことにより、遊技球が重力に引かれて流下する勢いを利用して、遊技球を流通させることができる。タンク１８の底面は紙面右方が低くなるように形成されており、タンク１８内を流下する遊技球は紙面右方向に流通する。
【００２３】
タンク１８の底面には穴が形成されており、同穴からタンクレール１８ａに遊技球が落下する。タンクレール１８ａは紙面右側が低くなるように傾斜しており、タンクレール１８ａに落下した遊技球は紙面右側に流下する。さらに、タンクレール１８ａの紙面右側端部の下方に備えられた払い出し装置１９に遊技球が落下する。払い出し装置１９は遊技球の直径程度の内径を有する通路１９ａを有しており、同通路１９ａの側方にて略五角形の回転体１９ｂが備えられ、同回転体１９ｂの一部が同通路１９ａの内部に突出している。そして、回転体１９ｂが１／５回転する毎に遊技球を一球下方に送り出すことが可能となっている。すなわち、回転体１９ｂの回転量に応じて払い出される遊技球の数量が制御されている。なお、回転体１９ｂの回転量は、制御ボックス２３に収容された制御基板等に備えられたＣＰＵ等の演算結果に応じて制御されている。
【００２４】
例えば、大当たりが出た場合等には回転体１９ｂを高速に回転させるようにＣＰＵ等が指令する。逆に、賞球がない場合には、回転体１９ｂを停止させるようにＣＰＵ等が指令する。通路１９ａは払い出し装置１９の下方に備えられたガイド部材２０の内部に連通しており、払い出し装置１９にて払い出された遊技球はガイド部材２０の内部に落下する。
【００２５】
図３は、遊技球の通路を模式的に示している。同図において、ガイド部材２０は内部に略Ｌ字状の通路２０ａを有しており、通路２０ａの底面は前方になるほど低くなるように傾斜している。通路２０ａの前方端部は開口しており、底面を伝って流下する遊技球を前方に排出することが可能となっている。また、通路２０ａの前方端部の開口は、機構板１７を前後に貫通するように形成された機構板通路１７ａの後端と接続されている。従って、ガイド部材２０から排出された遊技球は、機構板通路１７ａに導入される。機構板通路１７ａの底面も前方になるほど低くなるように傾斜しているため、機構板通路１７ａに導入された遊技球はさらに前方に流下する。
【００２６】
機構板１７は本体枠１２に対して回動可能に枢支されているが、機構板１７と本体枠１２とが平行となるように機構板１７を回動させることにより、機構板１７と本体枠１２とが略密着する。このとき、機構板通路１７ａの前端も本体枠１２に背面側から接触し、同本体枠１２を前後に貫通するように形成された本体枠通路１２ａの後端と接続する。このようにすることにより、機構板通路１７ａを流下した遊技球を本体枠通路１２ａに案内することができる。本体枠通路１２ａの底面も前方になるほど低くなるように傾斜しているため、本体枠通路１２ａに導入された遊技球はさらに本体枠通路１２ａを前方に流下する。
【００２７】
本体枠１２とガラス枠１３との間には連結通路６０が備えられており、本体枠通路１２ａの前端は連結通路６０と接続している。連結通路６０は内部にて遊技球を下方に案内する通路を有しており、その下端にてガラス枠通路１３ｂと接続している。ガラス枠通路１３ｂはガラス枠１３を前後に貫通するように形成されている。本体枠１２の前面側に備えられるガラス枠１３には、同ガラス枠１３は本体枠１２に対して回動可能に枢支されているが、本体枠１２に背面側を略密着させ遊技領域２５を前面側から閉鎖するようにガラス枠１３を回動させたときには、ガラス枠１３と本体枠１２に保持された遊技盤２４とを平行に略密着させることができる。
【００２８】
ガラス枠１３の前面側には前面通路３０の延設部３１がガラス枠通路１３ｂの前方開口を取り囲むように取り付けられている。延設部３１は中空状となっているため、ガラス枠通路１３ｂを流下した遊技球は延設部３１の内部を流下する。さらに、延設部３１も前方になるほど低くなるように傾斜しているため、延設部３１に案内された遊技球は前方に流下し、落下部３２に到達する。落下部３２に到達した遊技球は下方に向かって自由落下することとなる。
【００２９】
このようにパチンコ遊技機１０を構成する各部材の前後を貫通する機構板通路１７ａと本体枠通路１２ａとガラス枠通路１３ｂを形成し、これらを前後に接続することにより、パチンコ遊技機１０を前後に貫通する連絡通路を形成することができる。この連絡通路によれば遊技球を背面側から前面側に流通させることができるため、払い出し装置１９から払い出された遊技球を前面側に供給することができる。落下部３２を流下した遊技球は上皿通路３４および下皿通路３５を利用して上皿１４または下皿１５に供給される。このように、払い出し装置１９にて払い出された遊技球を前面側に配設された前面通路３０を経由させることにより、パチンコ遊技機１０の背面側に払い出し通路を形成しなくても済む。従って、パチンコ遊技機１０の背面側における各種機構部材の配設スペースを確保することができる。
【００３０】
図４は、ガラス枠１３が本体枠１２に対して回動する様子を斜めから見て示している。同図において、本体枠１２から前面側に向かって略板状の軸受け１２ｃが突設されており、ガラス枠１３からも支軸１３ｆが突設されている。支軸１３ｆは軸受け１２ｃに形成された軸穴に対して、略鉛直に挿し込まれている。図示しないが、ガラス枠１３と本体枠１２の下方部分にも同様な軸受けと支軸とが設けられている。このようにすることにより、ガラス枠１３を本体枠１２に対して略水平に回動させることができる。
【００３１】
図４のように、ガラス枠１３の背面側と本体枠１２の前面側とが離反するように、ガラス枠１３を回動させると、本体枠１２の前面側に形成された遊技領域２５を開放することができる。これに対して、ガラス枠１３の背面側と本体枠１２の前面側とが略密着するように、ガラス枠１３を回動させると、遊技領域２５を閉鎖することができる。なお、遊技領域２５が閉鎖する状態において通常の遊技が行われ、遊技領域２５等に不具合等が生じたときには遊技領域２５を開放させてメンテナンス等を行う。
【００３２】
本体枠１２の前面側には、背面側に向かって凹む第一収容部７０が形成されている。第一収容部７０は、背面側に所定の深みを有しており、鉛直方向の直線部分７０ａと、同直線部分７０ａと高さ方向中程にて接続する台形部分７０ｂとから構成されている。第一収容部７０の背面側の深みは一定とされているが、直線部分７０ａの上端部のみ他の部分より深く形成されている。そして、同上端の最深部にて図３に示した本体枠通路１２ａと連通している。一方、ガラス枠１３における本体枠１２の第一収容部７０と対面する部位には、同第一収容部７０と対称な形状とされた第二収容部７１が形成されている。
【００３３】
第二収容部７１も、鉛直方向の直線部分７１ａと、同直線部分７１ａと高さ方向中程にて接続する台形部分７１ｂとから構成されている。ただし、第二収容部７１の直線部分７１ａの下端において、図３に示したガラス枠通路１３ｂと連通している。このようにすることにより、ガラス枠１３の背面側と本体枠１２の前面側とが略密着するように、ガラス枠１３を回動させると、第一収容部７０と第二収容部７１とを対面させることができ、それにより本体枠１２とガラス枠通路１３ｂとの間に所定形状の中空空間を形成することができる。すなわち、遊技領域２５が閉鎖する状態において、本体枠１２とガラス枠通路１３ｂとの間に中空空間が形成される。
【００３４】
図５は、第一収容部７０と第二収容部７１とで形成される中空空間に連結通路６０が収容される様子を斜めから見て示している。同図において、ガラス枠１３が取り外された状態を示している。第一収容部７０には、同第一収容部７０とほぼ同形状の連結通路６０が収容されている。ただし、第一収容部７０の深さは連結通路６０の前後の厚みの半分程度とされているため、連結通路６０の前面側半分は第一収容部７０の外側に露出している。ガラス枠１３を取り付け、ガラス枠１３の背面側と本体枠１２の前面側とが略密着するように、ガラス枠１３を回動させることにより、第一収容部７０の外側に露出した連結通路６０の前面側半分をガラス枠１３側の第二収容部７１にて収容することができる。すなわち、遊技領域２５が閉鎖する状態において、第一収容部７０と第二収容部７１とで形成される中空空間に連結通路６０全体を収容することができる。
【００３５】
図６は、第一収容部７０と第二収容部７１とで形成される中空空間に連結通路６０が収容される様子を前面側から見て示している。連結通路６０は、上から順に第一の連結部材６１と第一の通路部材６２と第二の通路部材６３と第二の連結部材６４とから構成されており、全体として略Ｖ字状に形成されている。第一の連結部材６１と第一の通路部材６２と第二の通路部材６３と第二の連結部材６４は、内部が中空状に形成されており、同内部にて遊技球を流通させることが可能となっている。従って、連結通路６０においては遊技球が略Ｖ字状に流通することとなる。略直線状の第一の通路部材６２と第二の通路部材６３とは、それぞれ傾斜しているため、軸方向に遊技球を流通させることができる。
【００３６】
図７は、第一の通路部材６２と第二の通路部材６３を斜めから見て示している。同図において、第一の通路部材６２は、水平方向に対してやや傾斜して形成された直線部６２ａと、同直線部６２ａの両端をそれぞれ上方と下方に延設した円筒部６２ｂ，６２ｃとから構成されている。円筒部６２ｂ，６２ｃは、それぞれ水平断面が円形となるように形成されており、それぞれ軸方向を鉛直に配向させている。また、上方の円筒部６２ｂの壁面の上端付近には、一対のレール溝６２ｂ１，６２ｂ１が円周方向に帯状に形成されている。
【００３７】
一方、第二の通路部材６３も、水平方向に対してやや傾斜して形成された直線部６３ａと、同直線部６３ａの両端をそれぞれ上方と下方に延設した円筒部６３ｃ，６３ｂとから構成されている。同様に、円筒部６３ｂ，６３ｃも、それぞれ水平断面が円形となるように形成されており、それぞれ軸方向を鉛直に配向させている。ただし、一対のレール溝６３ｂ１，６３ｂ１は、下方の円筒部６３ｂの壁面の下端付近に形成されている。また、上方の円筒部６３ｃの内径は、第一の通路部材６２から延設された下方の円筒部６２ｃの外径よりも広径とされているため、円筒部６２ｃを円筒部６３ｃの内側に挿入して接続することが可能となっている。
【００３８】
このように、第一の通路部材６２の下端の円筒部６２ｃを、第二の通路部材６３の上端の円筒部６３ｃと接続することにより、第一の通路部材６２から第二の通路部材６３に対して遊技球を受け渡すことができる。従って、第一の通路部材６２と第二の通路部材６３とを連結することができ、全体として略Ｖ字状の通路を形成することができる。また、接続された円筒部６２ｃと円筒部６３ｃとは、ともに水平断面が円形であるため、互いに水平方向に回動することを許容することができる。すなわち、第一の通路部材６２と第二の通路部材６３とは互いに枢動可能に連結されたこととなる。なお、第一の通路部材６２と第二の通路部材６３とは互いに枢動可能に連結し、第一の通路部材６２から第二の通路部材６３に対して遊技球を受け渡す円筒部６２ｃと円筒部６３ｃとは本発明の連結部に相当する。
【００３９】
図８は、連結通路６０の最上部を構成する第一の連結部材６１を斜めから見て示している。同図において、第一の連結部材６１は、内部にやや傾斜した通路６１ａ１を有する通路部６１ａと、通路部６１ａの前面側端部から下方に延設された半円筒状の第一の保持部６１ｂと、同第一の保持部６１ｂと対称形状の独立部材として形成された第二の保持部６１ｃとから構成されている。通路部６１ａの通路６１ａ１は、背面側の端部の開口から遊技球を導入し、傾斜した底面に沿って前面側に遊技球を案内する。通路部６１ａの底面において下方に第一の保持部６１ｂが延設された部位には、円形の落下口６１ａ２が形成されている。
【００４０】
第一の保持部６１ｂの下端には内側に向かって半円柱状のガイド突起６１ｂ１，６１ｂ１が突設されている。一方、第二の保持部６１ｃの下端にも内側に向かって半円柱状のガイド突起６２ｂ１，６２ｂ１が突設されている。そして、第一の保持部６１ｂと第二の保持部６１ｃとを、互いの内側を向かい合わせて合体させることにより、第一の保持部６１ｂと第二の保持部６１ｃとで略円筒状の球通路を形成することができる。このとき、ガイド突起６１ｂ１，６１ｂ１とガイド突起６２ｂ１，６２ｂ１とがそれぞれ合体し、円柱状の突起が形成される。
【００４１】
なお、図８において、第一の通路部材６２の上端を構成する円筒部６２ｂが、第一の保持部６１ｂと第二の保持部６１ｃとに挟み込まれて保持される様子が破線矢印で示されている。円筒部６２ｂの外径は、第一の保持部６１ｂと第二の保持部６１ｃとが合体して形成される円筒の内径よりも細径とされているため、円筒部６２ｂを鉛直方向に押し上げて第一の保持部６１ｂと第二の保持部６１ｃとの間に挟み込んで保持することが可能となっている。このとき、一対のレール溝６２ｂ１，６２ｂ１の内部に、ガイド突起６１ｂ１，６１ｂ１，６２ｂ１，６２ｂ１が挿通する。
【００４２】
ガイド突起６１ｂ１，６１ｂ１，６２ｂ１，６２ｂ１が径方向内側に向かい合う間隔は円筒部６２ｂの外径よりも狭く形成されているため、レール溝６２ｂ１，６２ｂ１にガイド突起６１ｂ１，６１ｂ１，６２ｂ１，６２ｂ１が挿通することにより、円筒部６２ｂを下方に抜け止めすることができる。また、レール溝６２ｂ１，６２ｂ１は円筒部６２ｂの周方向に帯状に形成されているため、ガイド突起６１ｂ１，６１ｂ１，６２ｂ１，６２ｂ１が円筒部６２ｂの周方向に移動することを許容することができる。すなわち、第一の保持部６１ｂと第二の保持部６１ｃとを合体させることにより、円筒部６２ｂを第一の連結部材６１に対して回動可能に連結することができる。なお、第二の保持部６１ｃを第一の保持部６１ｂに固定させるにあたっては、接着剤やネジや係合構造等を利用することができる。以上のようにして円筒部６２ｂが第一の連結部材６１に対して連結すると、落下口６１ａ２から落下した遊技球を第一の通路部材６２に導入することができる。
【００４３】
図９は、連結通路６０の最下部を構成する第二の連結部材６４を斜めから見て示している。同図において、第二の連結部材６４は、図８に示した第一の連結部材６１を反転させた形状とされている。同図において、第二の連結部材６４は、第二の通路部材６３の円筒部６３ｂを回動可能に保持する。従って、第二の通路部材６３の円筒部６３ｂを下方に流下する遊技球を落下口６４ａ２を介して通路部６４ａに案内することができる。通路部６４ａに案内された遊技球は通路６４ａ１の傾斜する底面に沿って、同通路部６４ａの前面側端部の開口まで到達する。以上のように、第一の連結部材６１と第一の通路部材６２と第二の通路部材６３と第二の連結部材６４とを互いに連結することにより、連結通路６０においてひと続きの球通路を形成することができる。そして、一体化された連結通路６０は、本体枠１２およびガラス枠１３に対して取り付けられる。
【００４４】
図４において、第一収容部７０の直線部分７０ａの上端部の最深部にて本体枠通路１２ａが連通している。そして、この最深部にて本体枠通路１２ａと第一の連結部材６１の通路部６１ａの通路６１ａ１とが接続するように、第一の連結部材６１を直線部分７０ａの上端部に差し込んで固定する。このようにすることにより、本体枠通路１２ａを流下した遊技球を連結通路６０の第一の連結部材６１に導入することができる。また、第一の連結部材６１が本体枠１２に対して固定され、第一の通路部材６２が本体枠１２に対して回動可能に連結されることとなる。
【００４５】
一方、第二収容部７１の直線部分７１ａの下端にてガラス枠通路１３ｂが連通している。そして、直線部分７１ａの下端に第二の連結部材６４を嵌め込むことにより、第二の連結部材６４の通路部６４ａの通路６４ａ１とガラス枠通路１３ｂとを接続させることができる。このようにすることにより、連結通路６０を流下した遊技球をガラス枠通路１３ｂに案内することができる。また、第二の連結部材６４がガラス枠１３に対して固定され、第二の通路部材６３がガラス枠１３に対して回動可能に連結されることとなる。
【００４６】
以上のようにして、第一の連結部材６１と第二の連結部材６４をそれぞれ本体枠１２とガラス枠１３に対して固定することにより、本体枠通路１２ａとガラス枠通路１３ｂとを連結通路６０を介して接続することができる。従って、図３にて説明したように払い出し装置１９から払い出された遊技球を前面通路３０まで案内することが可能となる。
【００４７】
図１０は、本体枠１２とガラス枠１３を上方から見て示している。同図において、連結通路６０は破線により示されている。また、図の簡略化のため、外枠１１と機構板１７が本体枠１２から取り外された状態を示している。上述したとおり、ガラス枠１３が本体枠１２に略密着する状態において、連結通路６０は第一収容部７０と第二収容部７１とで形成される中空空間に収容されており、本体枠１２とガラス枠１３との間に配置されている。図６に示すように連結通路６０において、第一の通路部材６２と第二の通路部材６３が高さをずらして形成されているため、第一の通路部材６２と第二の通路部材６３を上下に重ねることが可能となっている。従って、第一の通路部材６２と第二の通路部材６３とを上下に重ね、連結通路６０を水平方向にコンパクトに形成することができる。
【００４８】
この状態において、遊技領域２５は、ガラス枠１３によって前面側から閉鎖され、同閉鎖された遊技領域２５にて遊技が行われる。そして、遊技中において図示されない払い出し装置１９にて払い出された遊技球は、本体枠通路１２ａと連結通路６０とガラス枠通路１３ｂと前面通路３０を経由して、上皿１４または下皿１５に供給される。上皿１４または下皿１５に供給された遊技球を使用して、遊技者は遊技を行うことができる。
【００４９】
図１１は、ガラス枠１３を本体枠１２から離反させ遊技領域２５を前面側に開放した様子を上方から見て示している。同図において、ガラス枠１３が本体枠１２から離反しており、ガラス枠１３に固定された第二の連結部材６４と、本体枠１２に固定された第一の連結部材６１も互いに離反する。すると、第一の連結部材６１と第二の連結部材６４との離反を許容するために、上下に重なっていた第一の通路部材６２と第二の通路部材６３とが略Ｖ字状に枢動する。すなわち、第一の通路部材６２と第二の通路部材６３とが接続する円筒部６２ｃ，６３ｃを互いに回動させることにより略Ｖ字状となる。
【００５０】
それにより、第一の通路部材６２と本体枠１２との角度も変動するが、第一の通路部材６２が上方の円筒部６２ｂにて回動することによって、この角度の変動を許容することができる。同様に、第二の通路部材６３とガラス枠１３との角度も変動するが、第二の通路部材６３が下方の円筒部６３ｂにて回動することによって、この角度の変動を許容することができる。すなわち、連結通路６０は各回動部位を回動させることにより、ガラス枠１３が本体枠１２から離反する際の両者の変位に追従することができる。
【００５１】
なお、回動が行われる各円筒部６２ｂ，６２ｃ，６３ｂ，６３ｃは、いずれも水平断面が円形となる円筒状に形成されているため、回動方向は全て水平方向となる。ガラス枠１３も本体枠１２に対して水平に回動するため、ガラス枠１３が回動する際に、本体枠通路１２ａと連結通路６０とガラス枠通路１３ｂの高さが変動することはない。従って、図１０のように遊技領域２５が閉鎖する状態と同様に、遊技領域２５が開放されたときも連結通路６０における通路の傾斜を維持することができる。従って、遊技領域２５が開放されたときも連結通路６０にて遊技球を流下させることができる。
【００５２】
なお、図１に示すように本体枠１２が保持する遊技盤２４には略円形状の遊技領域２５が形成されている。遊技領域２５の直径は矩形状の本体枠１２および遊技盤２４の幅とほぼ同等に形成されており、遊技領域２５の高さ方向中程においては遊技領域２５が本体枠１２の全幅を占有している。パチンコ遊技機１０の趣向性や装飾性を向上させるために、できる限り遊技領域２５を大きく形成することが望ましく、遊技領域２５の直径が本体枠１２の全幅と同等とされることが一般的である。この場合であっても、図１に示すように前面通路３０を正面視において遊技領域２５の左上に接続しているため、前面通路３０に背面側からまっすぐ接続する連結通路６０を本体枠１２における遊技領域２５が形成されないスペースに配置することができる。
【００５３】
従って、連結通路６０や第一収容部７０や第二収容部７１を形成したことによって遊技領域２５が狭められることなく、パチンコ遊技機１０の趣向性や装飾性を保つことができる。また、遊技者の注視する遊技領域２５の高い位置から前面通路３０を形成することにより、前面通路３０の経路を長く形成することができ、前面通路３０を目立たせることができる。また、前面通路３０の経路を長く形成すれば、その分だけ機構板１７におけるスペースを広く確保することができる。むろん、正面視において連絡通路Ａを本体枠１２における遊技領域２５の右上に形成しても同様の効果を得ることができる。この場合、前面通路３０はガラス枠１３の回動自由端側に取り付けられることとなるが、ガラス枠１３を本体枠１２に密着させ遊技領域２５を閉鎖させたときに、連結通路６０の接続性が確保できればよく、図３に示す構成を同様に適用することができる。
【００５４】
以上説明したように、本体枠１２に対して回動可能に連結される第一の通路部材６２と、ガラス枠１３に対して回動可能に連結される第二の通路部材６３とが互いに枢動可能な連結通路６０を設けることにより、ガラス枠１３を本体枠１２に対して回動させても連結通路６０が追従することができる。従って、ガラス枠１３の本体枠１２に対する回動量にかかわることなく、払い出し装置１９にて払い出した遊技球を上皿１４または下皿１５に供給することができる。すなわち、遊技領域２５のメンテナンス等を行う場合であっても、払い出し装置１９における遊技球の払い出しを継続して行うことができる。
【００５５】
（２）第二の実施形態：
図１２は、第二の実施形態にかかる連結通路を前面側から見て示している。同図において、前実施形態と同様に第一収容部１７０と第二収容部１７１に連結通路１６０が収容されており、同連結通路１６０によって本体枠１１２とガラス枠１３とが連結されている。連結通路１６０以外は、前実施形態と同様とされているため、説明は省略する。連結通路１６０は、前実施形態と同様に、上から順に第一の連結部材１６１と第一の通路部材１６２と第二の通路部材１６３と第二の連結部材１６４とを有している。ただし、第二の通路部材１６３の一端から上方に向かって略円筒状の短絡筒１６５が延設されている点と、第一の通路部材１６２の底面にソレノイド１６６とが取り付けられている点で、前実施形態と相違している。
【００５６】
図１３は、短絡筒１６５を斜めから見て示している。同図において、短絡筒１６５は略円筒状に形成されており、第二の通路部材１６３における円筒部１６３ｂが延設された部位において上方に向かって突設されている。短絡筒１６５は内部に略円柱状の中空空間を有しており、この中空空間と第二の通路部材１６３の内部の通路とが連通している。従って、短絡筒１６５に導入された遊技球を第二の通路部材１６３の内部に案内することができる。なお、短絡筒１６５に導入された遊技球は、同短絡筒１６５の内部を落下し、さらに第二の通路部材１６３における円筒部１６３ｂを落下する。また、短絡筒１６５の上端を広径にすることにより、球受け部１６５ａが設けられている。
【００５７】
図１４は、第一の通路部材１６２の底面を斜めから見て示している。同図において、第一の通路部材１６２の底面には、第一の通路部材１６２の長さ方向に帯状のレール溝１６８が形成されている。ソレノイド１６６は、第一の通路部材１６２の底面に固定されており、略円柱状の移動片１６６ａを有している。ソレノイド１６６に所定の電圧を印加することにより、移動片１６６ａを長さ方向に進退させることが可能となっている。移動片１６６ａの先端には、略Ｔ字状の摺動部１６６ｂが接合されており、摺動部１６６ｂの先端がレール溝１６８に侵入している。
【００５８】
図１５は、第一の通路部材１６２の断面を見て示している。同図において、摺動部１６６ｂの先端は第一の通路部材１６２の内部に備えられた略板状のシャッター１６７に下方から接合している。従って、ソレノイド１６６が移動片１６６ａを進退させることにより、移動片１６６ａの先端に接合された摺動部１６６ｂをレール溝１６８に摺動させつつ、同摺動部１６６ｂに接合されたシャッター１６７を長さ方向に進退させることができる。シャッター１６７の幅は第一の通路部材１６２の直線部１６２ａの幅よりもわずかに小さく形成され、シャッター１６７は直線部１６２ａの底面に密着するように備えられている。従って、シャッター１６７はソレノイド１６６が駆動することにより、直線部１６２ａの底面上を摺動する。
【００５９】
なお、図１４および図１５の状態において、ソレノイド１６６は移動片１６６ａを引き込んでおり、シャッター１６７は紙面右側に移動させられている。このとき、シャッター１６６の左端は短絡穴１６９よりも右側に位置するため、短絡穴１６９は開放される。この状態において、第一の通路部材１６２の内部を流通しようとする遊技球は短絡穴１６９から下方に落下する。さらに、シャッター１６６の左端から上方に向かって誘導壁面１６７ａが立設されている。誘導壁面１６７ａは第一の通路部材１６２の直線部１６２ａをほぼ塞ぐため、遊技球が直線部１６２ａに流入することが防止される。
【００６０】
図１６は、第一の通路部材１６２の底面を斜めから見て示している。ソレノイド１６６は移動片１６６ａを押し出しており、摺動部１６６ｂはレール溝１６８を紙面左側に進行している。図１７は、この状態における第一の通路部材１６２の断面を見て示している。同図において、シャッター１６７が紙面左側に移動させられており、シャッター１６７によって短絡穴１６９が上方から塞がれているまた、このとき誘導壁面１６７ａは、図１８に示すように円筒部１６２ｂの内壁に密着する。シャッター１６７は摺動部１６６ｂが下方から接合する部位よりも紙面右側に延設されているため、シャッター１６７が紙面左側に移動した状態においてもレール溝１６８がシャッター１６７により上方から覆われている。
【００６１】
図１２のように第一の通路部材１６２と第二の通路部材１６３とが上下に重なった状態において、短絡穴１６９の下方にて短絡筒１６５が待ち受けている。従って、図１４，１５のようにシャッター１６７が紙面右側にスライドすると、短絡穴１６９から遊技球を落下させ、短絡筒１６５の内部に導入することができる。短絡筒１６５に導入された遊技球は、そのまま第二の通路部材１６３における円筒部１６３ｂを落下する。このようにすることにより、遊技球が連結通路１６０を流通するのに要する時間を短縮することができ、遊技球の払い出し時間を短縮することができる。また、遊技球の流通経路も複雑なものとならず、球詰まり等の発生も防止することができる。さらに、この状態において、誘導壁面１６７ａが第一の通路部材１６２の直線部１６２ａを塞いで、遊技球が直線部１６２ａに流入することが防止されるため、不要に遊技球が迂回することが防止できる。
【００６２】
しかし、図１１のように遊技領域２５が開放するようにガラス枠１３が回動させられたとき、短絡穴１６９と短絡筒１６５とが互いに変位し、短絡穴１６９から落下した遊技球を短絡筒１６５にて受け取ることができなくなる。従って、ガラス枠１１３が本体枠１１２から離反した場合には、シャッター１６７にて短絡穴１６９を塞ぎ、同短絡穴１６９から遊技球が放出されることが防止している。すなわち、ソレノイド１６６はガラス枠１１３が本体枠１１２から離反したことを検知する扉開放センサと連動しており、同扉開放センサにてガラス枠１１３と本体枠１１２との密着が検知された場合に限り、シャッター１６７にて短絡穴１６９が露出させるように制御されている。この状態において、誘導壁面１６７ａが円筒部１６２ｂの内壁に密着するため、誘導壁面１６７ａが遊技球の流通の妨げとなることはない。また、レール溝１６８はシャッター１６７によって覆われるため、レール溝１６８に遊技球が嵌り込んで流通の妨げとなることもない。
【００６３】
なお、遊技領域が閉鎖し、短絡穴１６９と短絡筒１６５とが上下に対向する状態において、シャッター１６７にて短絡穴１６９を塞いでも別段問題はない。短絡穴１６９が塞がれていても、遊技球を連結通路１６０の下端まで導くことが可能だからである。従って、扉開放センサにてガラス枠１１３と本体枠１１２との密着が検知されている場合であっても、シャッター１６７にて短絡穴１６９を塞がせるような制御を行ってもよい。例えば、上皿等において遊技球がオーバーフローしているときに、シャッター１６７にて短絡穴１６９を塞がせてもよい。このようにすれば、少しでも上皿等に遊技球が供給されるタイミングを遅らせることができ、オーバーフローを緩和することができる。
【００６４】
（３）第三の実施形態：
図１９は、第三の実施形態にかかるパチンコ遊技機を上方から見て示している。同図において、連結通路２６０によって機構板２１７と本体枠２１２とが接続されている。このようにすることにより、本体枠２１２を外枠２１１から回動させ、さらに本体枠２１２から機構板２１７を回動させた場合であっても、機構板１７と本体枠２１２と間との遊技球の流通を継続することができる。すなわち、本実施形態において機構板２１７が本発明の扉体に相当し、本体枠２１２が本発明の本体部に相当する。このように、扉体は本体部に対して離反可能に取り付けられれば、本発明の連結通路を取り付けることができる。例えば、本体枠に対して回動可能な上皿や下皿を設け、同上皿や下皿と本体枠とを連結通路にて接続してもよい。また、単一の遊技機に対して連結通路が複数備えられてもよい。
【００６５】
（４）第四の実施形態：
図２０は、第四の実施形態にかかるパチンコ遊技機を上方から見て示している。同図において、機構板３１７とガラス枠１３が双方とも本体枠３１２から離反するように回動している。連結通路３６０は、機構板３１７とガラス枠３１３とを接続している。すなわち、本体枠３１２に対して連結通路３６０は固定されておらず、本体枠３１２に形成された貫通穴３１２ｄの内部を連結通路３６０が挿通している。このようにすることにより、機構板３１７とガラス枠３１３とを直接接続することができるため、機構板３１７とガラス枠３１３とが本体枠３１２に対してどのように回動していても、機構板３１７からガラス枠３１３に対して遊技球を供給することができる。なお、第一の実施形態における第一収容部７０を本体枠３１２に対してそのまま貫通させることにより、連結通路３６０に干渉しない貫通穴３１２ｄを形成することができる。
【００６６】
なお、本実施形態において、機構板が本発明の本体部に相当し、ガラス枠が扉体に相当する。このように、本発明の連結通路は、互いに直接離反可能に取り付けられた扉体と本体部に限られず、間接的に離反可能に取り付けられた扉体と本体部に対しても適用することができる。
【００６７】
（５）第五の実施形態：
図２１は、第五の実施形態にかかる遊技機としてのパチロットを斜めから見て示している。パチロット４１０は、スロットマシンにおけるメダルの代わりに遊技球を利用するものであり、例えば、パチンコ球の５個がメダル１個に相当して遊技を楽しむことができる。パチロット４１０は、スロットマシンと同様に回転するドラム４２５ａを備える遊技領域４２５を有している。このようなパチロット４１０においても遊技媒体として遊技球が使用されるため、遊技状態に応じた遊技球が払い出されることとなる。従って、パチロット４１０の前面側に前面通路４３０を突設することができ、前面通路４３０から上皿４１４に遊技球を供給することができる。
【００６８】
なお、図２２に示すように、パチロット４１０も外枠４１１と本体枠４１２とを有し、本体枠４１２の前面側にはドラム４２５ａが保持された遊技領域４２５が形成される。本体枠４１２の背面側には遊技球の供給を受けるタンク４１８が設けられている。タンク４１８には傾斜するタンクレール４１８ａが接続されており、タンクレール４１８ａの最下端と、連結通路４６０の一端とが接続されている。そして、連結通路４６０のもう一端が窓枠４１３の背面側に設けられた内部通路４４０と接続している。内部通路４４０の下方部分は前面側に屈曲しており、同下方部分にて前面通路４３０と接続している。前面側に操作レバーや操作ボタンが形成された窓枠４１３は、本体枠４１２に対して左側の辺を回動軸として回動可能に取り付けられる。
【００６９】
窓枠４１３と本体枠４１２とが略平行となるように、窓枠４１３を回動させたとき、窓枠４１３の背面側と本体枠４１２の前面側とが略密着する。このとき、窓枠４１３の略中央部に形成された矩形状の窓穴４１３ｄからはドラム４２５ａが保持された遊技領域４２５が視認可能となる。一方、窓枠４１３が本体枠４１２から離反させた場合には、タンクレール４１８ａと内部通路４４０とが離反することとなるが、連結通路４６０が枢動することにより、タンクレール４１８ａと内部通路４４０との接続を維持することができる。
【００７０】
なお、窓枠４１３をガラス等の透明板によって塞ぐことによりパチロット４１０の遊技領域４２５を閉鎖させてもよいし、本実施形態のように遊技領域４２５を開放させておいてもよい。なお、本実施形態のように前面通路４３０を低い位置から下方に向かって形成するようにしてもよいし、窓枠４１３の回動自由端側に前面通路４３０を形成するようにしてもよい。
【００７１】
（６）まとめ：
本発明において、本体枠１２に対して回動可能に連結される第一の通路部材６２と、ガラス枠１３に対して回動可能に連結される第二の通路部材６３とが互いに枢動可能な連結通路６０を設けることにより、ガラス枠１３を本体枠１２に対して回動させても連結通路６０が追従することができる。従って、ガラス枠１３の本体枠１２に対する回動量にかかわることなく、払い出し装置１９にて払い出した遊技球を上皿１４または下皿１５に供給することができる。すなわち、遊技領域２５のメンテナンス等を行う場合であっても、払い出し装置１９における遊技球の払い出しを継続して行うことができる。
【図面の簡単な説明】
【００７２】
【図１】第一の実施形態にかかるパチンコ遊技機の斜視図である。
【図２】第一の実施形態にかかるパチンコ遊技機の背面図である。
【図３】第一の実施形態にかかる球通路の説明図である。
【図４】第一の実施形態にかかる収容部の斜視図である。
【図５】第一の実施形態にかかる連結通路の斜視図である。
【図６】第一の実施形態にかかる連結通路の正面図である。
【図７】第一の実施形態にかかる連結通路の分解斜視図である。
【図８】第一の実施形態にかかる連結通路の分解斜視図である。
【図９】第一の実施形態にかかる連結通路の分解斜視図である。
【図１０】第一の実施形態にかかるパチンコ遊技機の平面図である。
【図１１】第一の実施形態にかかるパチンコ遊技機の平面図である。
【図１２】第二の実施形態にかかる連結通路の正面図である。
【図１３】第二の実施形態にかかる短絡筒の斜視図である。
【図１４】第二の実施形態にかかる第一の通路部材の斜視図である。
【図１５】第二の実施形態にかかる第一の通路部材の断面図である。
【図１６】第二の実施形態にかかる第一の通路部材の斜視図である。
【図１７】第二の実施形態にかかる第一の通路部材の断面図である。
【図１８】第二の実施形態にかかる第一の通路部材の平面図である。
【図１９】第三の実施形態にかかるパチンコ遊技機の平面図である。
【図２０】第四の実施形態にかかるパチンコ遊技機の平面図である。
【図２１】第五の実施形態にかかるパチロットの斜視図である。
【図２２】第五の実施形態にかかるパチロットの斜視図である。
【符号の説明】
【００７３】
１０…パチンコ遊技機
１１，２１１，４１１…外枠
１２，１１２，２１２，３１２，４１２…本体枠
１２ａ…本体枠通路
１３，１１３，３１３…ガラス枠
１３ｂ…ガラス枠通路
１３ｄ，４１３ｄ…窓穴
１４，４１４…上皿
１５…下皿
１６…発射ハンドル
１７，２１７，３１７…機構板
１７ａ…機構板通路
１８，４１８…タンク
１８ａ，４１８ａ…タンクレール
１９…払い出し装置
２０…ガイド部材
２４…遊技盤
２５，４２５…遊技領域
３０，４３０…前面通路
６０，１６０，２６０，３６０，４６０…連結通路
６１，６４，１６１，１６４…連結部材
６１ａ，６４ａ…通路部
６１ａ１，６４ａ１…通路
６１ｂ，６１ｃ，６４ｂ，６４ｃ…保持部
６１ｂ１，６２ｂ１…ガイド突起
６１ａ２，６４ａ２…落下口
６２，１６２…第一の通路部材
６２ａ，６３ａ…直線部
６２ｂ，６２ｃ，６３ｂ，６３ｃ，１６３ｂ…円筒部
６２ｂ１，６３ｂ１，６３ｂ１…レール溝
６３，１６３…第二の通路部材
７０，７１，１７０，１７１…収容部
７０ａ，７１ａ…直線部分
７０ｂ，７１ｂ…台形部分
１６５…短絡筒
１６５ａ…球受け部
１６６…ソレノイド
１６６ａ…移動片
１６７…シャッター
１６７ａ…誘導壁面
１６８…レール溝
１６９…短絡穴
３１２ｄ…貫通穴
４１０…パチロット
４１３…窓枠
４２５ａ…ドラム
４４０…内部通路
【図１】
2006181046.tif 000003
【図２】
2006181046.tif 000004
【図３】
2006181046.tif 000005
【図４】
2006181046.tif 000006
【図５】
2006181046.tif 000007
【図６】
2006181046.tif 000008
【図７】
2006181046.tif 000009
【図８】
2006181046.tif 000010
【図９】
2006181046.tif 000011
【図１０】
2006181046.tif 000012
【図１１】
2006181046.tif 000013
【図１２】
2006181046.tif 000014
【図１３】
2006181046.tif 000015
【図１４】
2006181046.tif 000016
【図１５】
2006181046.tif 000017
【図１６】
2006181046.tif 000018
【図１７】
2006181046.tif 000019
【図１８】
2006181046.tif 000020
【図１９】
2006181046.tif 000021
【図２０】
2006181046.tif 000022
【図２１】
2006181046.tif 000023
【図２２】
2006181046.tif 000024